(57)【特許請求の範囲】
【請求項１】
遊技機の所定位置に取着する各種の装置内に収納され正位置に設定した状態で配置される複数の回動部材と、前記回動部材とそれぞれ一体をなしかつ該各回動部材と同軸状に軸着され噛合して電気的駆動源により該回動部材と一緒に回動する複数の歯車と、を備え、
前記各歯車の側面に前記各回動部材を正位置に設定するピンまたはピン孔を設けて各歯車を各回動部材と共にすべて同一形状かつ一体に形成し、前記各種の装置の壁を構成する周側板に位置規制片部を一体に形成し、前記位置規制片部に前記各歯車の前記ピンまたはピン孔に嵌るピン孔またはピンを設け、前記ピンまたはピン孔が設けられた前記位置規制片部は前記周側板から切り離し可能に設けられていることを特徴とする歯車の位置決め構造。
【請求項２】
前記ピンまたはピン孔が設けられた位置規制片部を前記各種の装置の外周面から外側へ突出させるようにした請求項１記載の歯車の位置決め構造。
【発明の詳細な説明】
【技術分野】
【０００１】
本発明は、例えばパチンコ遊技機、アレンジボール機などの遊技機に取着する球払出装置などの各種の装置内に収納され、複数の回動部材とそれぞれ一体をなして回動する歯車の位置決め構造に関するものである。
【背景技術】
【０００２】
従来、遊技機の一種であるパチンコ遊技機には、その裏面に装着される機構板に発生した入賞球に基づいて予め設定された数の賞球を払い出す球払出装置が配設されている。該球払出装置として、２条の供給通路を備えると共に外周に複数の球受凹部が並設された回動部材としての一対のスプロケットを電気的駆動源としてのステッピングモータの駆動によって回動させることで、両供給通路を流下する賞球としての遊技球を各スプロケットの球受凹部で１個ずつ受け入れて払い出すようにしたものが提案されている（例えば、特許文献１参照。）。また、この球払出装置では、ステッピングモータの動力を各スプロケットと一体をなすギヤ列によって各スプロケットに伝達するようにしている。
【０００３】
ところで、前記スプロケットを備えた球払出装置にあっては、各スプロケットの回動角度（位相）がそのまま賞球の払い出し数に反映する構成となっているので、該各スプロケットの回動制御を正確に行なう必要がある。このため、ステッピングモータの動力を各スプロケットに伝達する歯車に対しても、相互の組み付け位置の関係を正位置に予め設定している。例えば、スプロケットと一体をなす各歯車を正確に組み付けるために各歯車には、それぞれ相互以外の噛合状態では両歯車を回動させないように、通常の高さの歯先よりも浅い歯底部と、該歯底部に正常に噛合し得る高さの低い歯先部と、を設けるようにしている。このようにして組付けた球払出装置をパチンコ遊技機に装着した後に、所定の検査を手順通り行った場合、前記浅い歯底部によって歯車の取り付け不良が生じていないかを確認できる。
【０００４】
【特許文献１】特開平１１−１３７７９８号公報（第８−１３頁、図７、図９）
【発明の開示】
【発明が解決しようとする課題】
【０００５】
しかし、所定の検査を行なわないと、歯車を組み込んで球払出装置を組み立て該球払出装置をパチンコ遊技機に取着した後に、不良が確認される恐れがある。このような場合には、パチンコ遊技機から再び球払出装置を取り外して歯車を組み付け直す必要があり、極めて面倒な作業を強いられるという課題が有る。また、通常の高さの歯先よりも浅い歯底部と、該歯底部に正常に噛合し得る高さの低い歯先部とを有する形状の異なる２種類の歯車を形成しなければならないことから、その製作が面倒であるばかりか製作コストも高くなり、更にはその管理も面倒になるという課題もある。
【０００６】
そこで、本発明は上記課題を解決すべくなされたもので、歯車の誤った組付けが生じないようにして、所定の検査を行なわなくても、球払出装置をパチンコ遊技機から取り外して歯車を再度組み付け直すといった面倒な作業をなくし作業の高能率化を図ると共に、２種類の歯車を製作・管理しなければならない面倒さを解消して製作コストも低廉になし得る歯車の位置決め構造を提供することを目的とするものである。
【課題を解決するための手段】
【０００７】
かかる目的を達成するため本発明の歯車の位置決め構造は、遊技機の所定位置に取着する各種の装置内に収納され正位置に設定した状態で配置される複数の回動部材と、前記回動部材とそれぞれ一体をなしかつ該各回動部材と同軸状に軸着され噛合して電気的駆動源により該回動部材と一緒に回動する複数の歯車と、を備え、前記各歯車の側面に前記各回動部材を正位置に設定するピンまたはピン孔を設けて各歯車を各回動部材と共にすべて同一形状かつ一体に形成し、前記各種の装置の壁を構成する周側板に位置規制片部を一体に形成し、前記位置規制片部に前記各歯車の前記ピンまたはピン孔に嵌るピン孔またはピンを設け、前記ピンまたはピン孔が設けられた前記位置規制片部は前記周側板から切り離し可能に設けられていることを特徴とする。
【０００８】
この際、前記ピンまたはピン孔が設けられた位置規制片部を前記各種の装置の外周面から外側へ突出させるようにすることが好ましい。
【発明の効果】
【０００９】
本発明に係る歯車の位置決め構造は、各種の装置内に収納され正位置に設定した状態で配置される複数の回動部材と、各回動部材とそれぞれ一体をなしかつそれらと同軸状に軸着され一緒に回動する複数の歯車と、を備え、各歯車の側面に各回動部材を正位置に設定するピンまたはピン孔を設けて各歯車を各回動部材と共にすべて同一形状かつ一体に形成し、各種の装置の壁を構成する周側板に位置規制片部を一体に形成し、位置規制片部に各歯車のピンまたはピン孔に嵌るピン孔またはピンを設け、ピンまたはピン孔が設けられた位置規制片部は周側板から切り離し可能に設けられる。このように、回動部材と一体に設けられる歯車はすべて同一形状に形成され、しかも、回動部材が正位置に自動的に設定されることから、歯車の組付けを誤ることがなくなる。これにより、所定の検査を行なわなくても、組み立て後に誤った歯車の組付けが確認されて各種の装置から歯車を取り外して再度組み付け直すといった面倒な作業をなくし、作業の高能率化を図ることができる。また、回動部材が一体に設けられた歯車は１種類で済むから、その製作が簡単であって製作コストも低廉になしえ、その管理も簡単になるという有益な効果が有る。
【００１０】
また、ピンまたはピン孔が設けられた位置規制片部を各種の装置の外周面から外側へ突出させるようにすれば、その装置を遊技機の所定位置に取り付けようとした場合、その突出する位置規制片部が邪魔になって取り付けられなくなる。よって、位置規制片部が取り除かれてないことがその場で解り、位置規制片部の取り忘れを防止できる。
【発明を実施するための最良の形態】
【００１１】
以下、本発明に係る歯車の位置決め構造の実施の形態を図面に基づき詳しく説明する。本発明は、パチンコ遊技機、アレンジボール機、雀球機、パチスロ機、パロット（登録商標）機等の遊技機に適用されるが、この内、本発明はパチンコ遊技機に適用される場合について説明する。なお、前記パロット機とは、パチンコ球を遊技媒体としてパチスロ機の遊技が可能な遊技機である。
【００１２】
図１は本発明が適用されるパチンコ遊技機の正面図、図２は同背面図である。パチンコ遊技機Ｐは縦長長方形状の機枠１を有し、該機枠１の前側に一側を軸着すると共に遊技盤２を配設した本体枠３が開閉自在に装着されている。本体枠３の前側に、その一側で開閉自在に軸着される合成樹脂製の透明板保持枠４が設けられる。該透明板保持枠４の中央部に、遊技盤２前面の遊技部２ａに対向して窓開口５が開設される。該窓開口５の後側には、２枚セットの透明板であるガラス板または合成樹脂板を備えた透明板ユニット６が配置され、これにより該窓開口５を塞ぐようにしている。透明板保持枠４の下方に前面板８が軸着され、該前面板８の前面に打球発射位置（図示せず。）に供給する打球としての遊技球を貯留するための球受皿７が装着される。また、該球受皿７の一側に、打球発射位置から発射される遊技球の打球力を調整するための打球力調整ハンドル９が装着される。
【００１３】
前記遊技盤２は縦長長方形状に形成され、その前面に内側のガイドレール１０ａと外側のガイドレール１０ｂとが渦巻状に敷設され、これら内・外側のガイドレール１０ａ，１０ｂに囲まれるようにして遊技部２ａが形成される。該遊技部２ａには、その中央に各種の情報を変動表示する表示部１１ａを備えた可変表示装置１１が装着され、その下方に遊技球である打球が入賞することにより前記可変表示装置１１の表示部１１ａの情報を変動させる始動入賞口１２が装着される。更に、その下方に、前記表示部１１ａの表示が特定の情報（例えば、「７，７，７」）に揃ったとき、一定の条件の下で一度に多くの賞球が得られる大型の入賞装置１３が装着される。
【００１４】
一方、前記本体枠３の裏側に、遊技盤２を覆うようにして合成樹脂製の機構板１５が一側で軸着され開閉自在に装着されている。該機構板１５は中央部に開口１６を有し、該開口１６に遊技盤２の裏面に装着され始動入賞口１２、大型の入賞装置１３に入賞した入賞球としての遊技球を集めて下方へ排出するための入賞球集合カバー１７が合致するようになっている。また、機構板１５の裏面上部に球タンク１８が配設され、該球タンク１８の下方に該球タンク１８から排出される遊技球を整流させながら下流へ誘導するタンクレール１９が配設される。該タンクレール１９の下流端には、カーブレール２０が連接され、該カーブレール２０の下端に供給樋２１を介して各種の装置としての球払出装置２２が取着されている。
【００１５】
前記球払出装置２２の下方には該球払出装置２２から払い出された遊技球が導かれる球排出樋２３が配設され、該球排出樋２３が前面板８の前面に装着された球受皿７に連なっている。そこで、入賞球の発生によりその入賞球に対して払い出される賞球としての遊技球および遊技者が遊技を行なうためコインと交換し得る遊技球が、球払出装置２２から払い出されることになる。それら遊技球は、球排出樋２３を介して上部球受皿７に貯留される。なお、球払出装置２２は、機構板１５の裏面であって所定位置Ｃに着脱自在に取着されるようになっている。
【００１６】
次に、球払出装置２２について説明する。該球払出装置２２は、合成樹脂材からなり図３、図４に示すように略縦長長方形状の周側板としての主ベース板２４と、その一側である前側に配置され該主ベース板２４とほぼ同大の周側板としての副ベース板２５と、主ベース板２４の他側である後側に配置され該主ベース板２４とほぼ同大の周側板としての主カバー２６と、前記副ベース板２５のほぼ半分の大きさからなり該副ベース板２５の一側である前側下部を覆う周側板としての副カバー２７と、から構成される。これらは、それぞれ重ね合わせてビス２８により一体に組み付けられる。
【００１７】
前記主ベース板２４はその上縁と両側縁に一側すなわち前側へ突出する側壁２４ａが周設され、その一側面すなわち前側面に、両側に沿って一対の供給通路２９ａ，２９ｂが形成される。両供給通路２９ａ，２９ｂの上端の流入口３０ａ，３０ｂは主ベース板２４の上縁のほぼ中央部に位置し、両流入口３０ａ，３０ｂが供給樋２１と連通するようになっている。両供給通路２９ａ，２９ｂの流下端は互いに中央へ寄っており、その部位で図５に示すように両供給通路２９ａ，２９ｂ内の一側に寄せて回動部材としてのスプロケット３１ａ，３１ｂが配置される。これらスプロケット３１ａ，３１ｂは、両供給通路２９ａ，２９ｂに対して直交するように設けられた第一軸３２，３２により回動自在に設けられる。しかも、両スプロケット３１ａ，３１ｂは、共に前記第一軸３２，３２に嵌合する歯車３３ａ，３３ｂと一体に設けられている。スプロケット３１ａ，３１ｂの下方には、両供給通路２９ａ，２９ｂと連通するようにして排出通路２９ｃ，２９ｄが設けられる。両歯車３３ａ，３３ｂはそれぞれスプロケット３１ａ，３１ｂと一体に設けられ、いずれも後記するピン孔４８ａ，４８ｂを含めすべて同一形状かつ一体に形成される。よって、本発明にあっては、スプロケット３１ａ，３１ｂと一体をなす歯車３３ａ，３３ｂを１種類のみ製作すればよい。
【００１８】
主ベース板２４の他側面すなわち後側面の中央に、電気的駆動源であるステッピングモータ３４が取着され、そのモータ軸３４ａ先端に設けられた駆動歯車３５が、主ベース板２４の中央に開設された通孔３６から該主ベース板２４の一側面すなわち前側面から前側へ突出している。主ベース板２４の一側面すなわち前側面から突出する第二軸３７に、大径歯車３８が嵌合する。そして、前記駆動歯車３５が大径歯車３８と噛合し、また、該大径歯車３８が前記一方の歯車３３ａと噛合し、更に、該歯車３３ａが他方の歯車３３ｂと噛合している。
【００１９】
図６に示すように副ベース板２５はほぼ中間部より下方が主ベース板２４側へ窪んでおり、その段差の幅内に収まるようにして副ベース板２５下部の一側面すなわち前側面に前記大径歯車３８と両歯車３３ａ，３３ｂが配置されることになる。また、図６乃至図８に示すように副ベース板２５の中間部より下方に両スプロケット３１ａ，３１ｂが挿通できる挿通孔３９ａ，３９ｂが開設され、これら両挿通孔３９ａ，３９ｂの下方に両挿通孔３９ａ，３９ｂと連通する連通空域部４０が形成されている。連通空域部４０は、副ベース板２５の下縁で開放される。
【００２０】
そして、連通空域部４０内に位置規制片部４１が配置されるようにして、該位置規制片部４１が副ベース板２５と一体に形成される。更に詳しく説明すると、位置規制片部４１の一側は二股に分かれており、それら先端部に同じ外径の円柱状のピン４２ａ，４２ｂが一体に設けられている。これらピン４２ａ，４２ｂは、後記するように前記両スプロケット３１ａ，３１ｂを正位置に設定するためのものである。この場合、正位置とは、一方のスプロケット３１ａの位相が他方のスプロケット３１ｂよりも遊技球１個分ずれており、払い出されるときは、遊技球が各スプロケット３１ａ，３１ｂから交互に時間をずらせて排出される位置をいう。このため、各ピン４２ａ，４２ｂの位置は取り付けられた各歯車３３ａ，３３ｂの中心軸から等距離にあり、しかも、位相が所定の角度ずれる位置に設定される。
【００２１】
両ピン４２ａ，４２ｂは副ベース板２５の一側面すなわち前側面側へ突設され、かつ、前記第一・第二軸３２，３７と平行をなす。更に、位置規制片部４１の他側は副ベース板２５の下縁から外方へ突出する繋ぎ部により一体に形成され、該位置規制片部４１の基端部４１ａが副ベース板２５の下端縁から外側へ突出している。すなわち、該位置規制片部４１が球払出装置２２の外周面から外側へ突出することになる。そこで、例えばニッパーによって副ベース板２５の下端縁に沿った繋ぎ部の切取線ｅ１，ｅ２を切断することにより、副ベース板２５から位置規制片部４１を分離して外すことができる。本発明では、位置規制片部４１を周側板としての副ベース板２５に設けるようにしたが、構成を変更することにより他の周側板、例えば主ベース板２４、主カバー２６、副カバー２７に位置規制片部４１を一体に設けるようにしても良い。
【００２２】
主ベース板２４の後面に重ね合わされる主カバー２６は、外周縁に一側すなわち前側へ突出するリブ２６ａが周設され、中央やや上部に前記ステッピングモータ３４が臨む放熱孔４３が開設され、上端部にはコネクター４４ａを有する基板４４が装着される。副ベース板２５の下部前面を覆う副カバー２７は透明な合成樹脂材により成形され、その両側縁と下側縁に他側すなわち後側へ突出する側壁２７ａが周設され、図６に示すようにその下部の側壁２７ａに前記連通空域部４０と連通する切欠部４５が凹設されている。主ベース板２４の下部両側には、両排出通路２９ｃ，２９ｄを流下して下流端の排出口４６ａ，４６ｂから排出される遊技球を１個ずつ電気的に検出する球検出器４７，４７が取着される。
【００２３】
球払出装置２２は上記構成からなり、該球払出装置２２を組み立てる場合、主ベース板２４の後面にステッピングモータ３４を取着すると共に排出通路２９ｃ，２９ｄの下端部に球検出器４７，４７を取着し、基板４４を取着した主カバー２６を主ベース板２４の後面に重ね合わせて固着する。また、主ベース板２４の前面に副ベース板２５を重ね、第一・第二軸３２，３７を主ベース板２４の所定位置に立設すると共にこれら第一・第二軸３２，３７に歯車３３ａ，３３ｂ、大径歯車３８をそれぞれ嵌合する。最後に、副ベース板２５の下部前面に副カバー２７を重ねて覆い取着する。このようにして、組立てライン上で球払出装置２２が組み立てられる。
【００２４】
そこで、通常、前記球払出装置２２をパチンコ遊技機Ｐ裏面の機構板１５の所定位置Ｃに取着した状態では、例えば、入賞球が発生したときその入賞球に対して賞球を所定個数排出しなさいという指令が出され、その指令に基づきステッピングモータ３４が所定量回動する。これにより、駆動歯車３５が回動すると共に大径歯車３８が回動し、更に、一方の歯車３３ａと他方の歯車３３ｂが回動する。これに伴い、それぞれの歯車３３ａ，３３ｂと一体に設けられたスプロケット３１ａ，３１ｂが所定量回動して、所定個数の遊技球を下方へ排出する。排出された遊技球は、それぞれ排出通路２９ｃ，２９ｄを流下して各球検出器４７により検出されると共にそれら下端の排出口４６ａ，４６ｂから下方の球排出樋２３に排出され、球受皿７に貯留される。球検出器４７が所定個数の遊技球を検出したとき、ステッピングモータ３４が停止して遊技球の払い出しを終え、次の動作に備える。
【００２５】
図７に示すように両歯車３３ａ，３３ｂには、それら側面に前記ピン４２ａ，４２ｂが嵌る円形状のピン孔４８ａ，４８ｂが開設されている。これら歯車３３ａ，３３ｂはスプロケット３１ａ，３１ｂともども同一形状に形成されているので、各ピン孔４８ａ，４８ｂの位置、すなわち各歯車３３ａ，３３ｂの中心から各ピン孔４８ａ，４８ｂまでの距離ａや位置は各ピン４２ａ，４２ｂと同じであって、各ピン孔４８ａ，４８ｂの内径も同じである。また、ピン孔４８ａ，４８ｂは、その下側からピン４２ａ，４２ｂを挿通した場合、ピン４２ａ，４２ｂが自然と抜け出る孔径を有する。
【００２６】
位置規制片部４１に設けられた各ピン４２ａ，４２ｂは、各スプロケット３１ａ，３１ｂの取り付けられた状態ではそれら羽根の位相が、互いに遊技球１個分ずれるようにそれらの位置が予め決められているので、スプロケット３１ａ，３１ｂが一体に取着された歯車３３ａ，３３ｂを第一軸３２，３２に嵌合すると共に各ピン４２ａ，４２ｂを各ピン孔４８ａ，４８ｂに嵌めるのみで、既に両スプロケット３１ａ，３１ｂが正位置に配設されることになる。よって、両歯車３３ａ，３３ｂを互いに取り違えるといった誤った組付けは生じない。これにより、両スプロケット３１ａ，３１ｂによって排出される遊技球は、時間を離して交互に１個ずつ排出されるようになる。
【００２７】
そこで、図８に示すように組立て作業中に、いずれの歯車３３ａ，３３ｂもそのピン孔４８ａ，４８ｂがすべて位置規制片部４１のピン４２ａ，４２ｂに嵌ることになり、各歯車３３ａ，３３ｂの取り付ける位置をいちいち考えなくてもよく、歯車３３ａ，３３ｂを取り付けさえすればすべて誤りなく組付けができる。これにより、所定の検査を行なわなくても、組み立て後に誤った歯車の組付けが確認され、球払出装置２２から歯車３３ａ，３３ｂを取り外して再度組み付け直すといった面倒な作業が不要になる。しかも、スプロケット３１ａ，３１ｂが一体に設けられた歯車３３ａ，３３ｂは１種類で済むから、その製作が簡単であって製作コストも低廉になし得る。
【００２８】
両歯車３３ａ，３３ｂを正位置に配置し互いのピン４２ａ，４２ｂをピン孔４８ａ，４８ｂに挿通し球払出装置２２を組み立てた後は、図７に示すように繋ぎ部を切取線ｅ１，ｅ２に沿ってニッパーで切断する。これら切取線ｅ１，ｅ２は、球払出装置２２の外部に露出しているので切断し易い。これにより、各ピン孔４８ａ，４８ｂからピン４２ａ，４２ｂが抜け出て、切断された位置規制片部４１が副カバー２７の下面の切欠部４５から落下する。このように、位置規制片部４１を切断するのは、その位置規制片部４１を残しておくと、球払出装置２２を図２に示すように機構板１５の所定位置Ｃに取着するとき、その位置規制片部４１の基端部４１ａが機構板１５側の設置面に当たり、その取付ができないからである。これにより、位置規制片部４１の取り忘れが防止できる。この位置規制片部４１を取り外した球払出装置２３は、各スプロケット３１ａ，３１ｂが間違いなく正位置に取り付けられたことになる。
【００２９】
本発明にあっては、両歯車３３ａ，３３ｂが直接噛合しているので、各歯車３３ａ，３３ｂは互いに逆方向へ回動する関係に有るが、これ以外に例えば図９に示す球払出装置２２ａのように両歯車３３ａ，３３ｂ間に中間歯車５６を介在して噛合させるようにしても良い。なお、該球払出装置２２ａは、本発明に係る球払出装置２２とほとんど同じ構成からなるので、同一部位は同一番号を附すことによって詳しい説明は省略する。これにより、各歯車３３ａ，３３ｂは、供給通路２９ａ，２９ｂの下端部の同じ側に配置される。そして、大径歯車３８と一方の歯車３３ａが噛合し、該歯車３３ａと第三軸５７により軸支される中間歯車５６が噛合し、該中間歯車５６と他方の歯車３３ｂとが噛合して、両歯車３３ａ，３３ｂが同じ方向へ回動することになる。このような球払出装置２２ａにあっても、各スプロケット３１ａ，３１ｂが間違いなく正位置に取り付けられる。
【００３０】
また、本発明に係る歯車の位置決め構造は、各種の装置として球払出装置２２のスプロケット３１ａ，３１ｂの歯車３３ａ，３３ｂに適用した例を示したが、これに限定されるものではない。例えば、各種の装置として、図１０に示すような表示装置４９がある。該表示装置４９は、遊技盤２面の中央に配置した可変表示装置１１の上部に設けられ、演出上のモードが変更されたときに動作させるものである。そして、該表示装置４９は、前壁５０に一対の覗き窓５１，５１が並設され、その後側に支軸５４によって本発明と同様に歯車５５ａ，５５ｂが軸支される。
【００３１】
前記各歯車５５ａ，５５ｂは、これら中間に中間歯車５６が介在され、前壁５０と平行な面内で回動する。該前壁５０と対向する各歯車５５ａ，５５ｂの側面に回動部材としての表示部５２が一体に設けられ、該表示部５２の前面に前記各覗き窓５１から視認できる情報（この場合、互いに同じ文字「Ａ，Ｂ，Ｃ」）が表示される。これら情報５３ａ，５３ｂ，５３ｃは、各歯車５５ａ，５５ｂの表示部５２前面の外周に沿って等間隔にかつ凸状に形成され、その後にスタンプによって色付けされる。そして、両歯車５５ａ，５５ｂは共に同じ方向へ回動し、所定位置で停止したときは、逐一両覗き窓５１，５１に同じ意味の情報５３ａ，５３ａが表示されるようになっている。図示は省略するが、両歯車５５ａ，５５ｂの内の一方の歯車５５ａに、前記のように大径歯車が噛合し、ステッピングモータにより両歯車５５ａ，５５ｂが回動する。この場合は、両歯車５５ａ，５５ｂは、同じ位相にする必要性がある。仮に、一方の位相を間違えると、歯車５５ａ，５５ｂに表示される情報５３ａ，５３ｂ，５３ｃが狂ってしまうからである。このような構成であっても、本発明が適用できる。
【００３２】
また、本発明では位置規制片部４１にピン４２ａ，４２ｂを設け、両歯車３３ａ，３３ｂにそれらピン４２ａ，４２ｂが嵌るピン孔４８ａ，４８ｂを設けるようにしたが、互いに逆に設けるようにしても良い。両歯車３３ａ，３３ｂにピン４２ａ，４２ｂを設けた場合は、位置規制片部４１を取り外した後も、それらピン４２ａ，４２ｂが設けられたままとなる。更に、本発明では、歯車を２個使用した場合を説明したが、これに限定されるものではなく、歯車が、例えば３個、４個、５個またはこれ以上であっても良い。また、前記のようにスプロケット３１ａ，３１ｂを設けた歯車間に中間歯車を介在するようにしても良い。このように、中間歯車を介在させることによって本来の歯車を共に同じ方向へ回動させることができる。
【図面の簡単な説明】
【００３３】
【図１】本発明が適用されるパチンコ遊技機の正面図。
【図２】同背面図。
【図３】球払出装置の斜視図。
【図４】同分解斜視図。
【図５】同副ベース板を外した状態の正面図。
【図６】同側面断面図。
【図７】同副カバーを外した状態の正面図。
【図８】同歯車を取着する状態を示す斜視図。
【図９】同副ベース板を外し中間歯車を介在した他の実施の形態を示す正面図。
【図１０】表示装置の一部を示す正面図。
【符号の説明】
【００３４】
２２            各種の装置（球払出装置）
２５            周側板（副ベース板）
３１ａ          回動部材（スプロケット）
３１ｂ          回動部材（スプロケット）
３３ａ          歯車
３３ｂ          歯車
３４            電気的駆動源（ステッピングモータ）
４１            位置規制片部
４２ａ          ピン
４２ｂ          ピン
４８ａ          ピン孔
４８ｂ          ピン孔
Ｃ              所定位置
Ｐ              パチンコ遊技機
【図１】
0005020723.tif 000002
【図２】
0005020723.tif 000003
【図３】
0005020723.tif 000004
【図４】
0005020723.tif 000005
【図５】
0005020723.tif 000006
【図６】
0005020723.tif 000007
【図７】
0005020723.tif 000008
【図８】
0005020723.tif 000009
【図９】
0005020723.tif 000010
【図１０】
0005020723.tif 000011